(57)【要約】【課題】耐久性を向上させた防振装置を提供する。【解決手段】本発明の防振装置1は、エンジンブラケット50に取り付けられる取付部10と、車体に取り付けられるブラケット20とを連結する弾性体30とを有し、弾性体30は、取付部10を保持する本体部31と、本体部32から延在する複数の脚部32とを有する。脚部32は、本体部31近傍の外側部に、内側部に接近して当該内側部および外側部間の幅を狭くする括れ部34を有する。【選択図】図１
2016056857.tif 000002
【特許請求の範囲】
【請求項１】
振動発生部および振動受部の一方に取り付けられる取付部と、
前記振動発生部および前記振動受部の他方に取り付けられるブラケットと、
前記取付部と前記ブラケットとを連結する弾性体とを有し、
前記弾性体は、前記取付部を保持して鉛直方向の一方に配置される本体部と、前記本体部から鉛直方向の他方に向かって延在する複数の脚部とを有する、防振装置であって、
前記脚部は、前記本体部近傍の外側部および内側部の少なくともいずれか一方に、前記脚部の延在方向に沿って前記本体部に向かうに従って反対側の側部に接近して前記内側部および前記外側部の間の幅を狭くする括れ部を有することを特徴とする、防振装置。
【請求項２】
請求項１において、少なくとも前記脚部の外側部に前記括れ部を有する、防振装置。
【請求項３】
請求項１または２において、前記括れ部は、前記本体部の外側部と前記脚部の外側部とで同一の平面を形成し、当該同一の平面の一部を窪ませてなるものである、防振装置。
【請求項４】
請求項１乃至３のいずれか１項において、前記括れ部を、水平方向において、前記取付部の外側部と隣り合う位置に設けた、防振装置。
【請求項５】
請求項４において、前記取付部は、前記脚部の相互間の前記本体部に配置される、下方に突出する突出部を有する、防振装置。
【発明の詳細な説明】
【技術分野】
【０００１】
本発明は、防振装置に関する。
【背景技術】
【０００２】
取付部を有する弾性体に２つの脚部を設け、当該脚部それぞれをブラケットに嵌合させてなる防振装置としては、弾性体を傷付けることなく、ブラケットに固定するものが知られている（例えば、特許文献１参照。）。
【先行技術文献】
【特許文献】
【０００３】
【特許文献１】特開２０１１−２１４６２６号公報
【発明の概要】
【発明が解決しようとする課題】
【０００４】
しかしながら、こうした防振装置は、取付部と当該取付部周りの弾性体との接着界面に応力がかかるため、耐久性の点で改善の余地があった。
【０００５】
本発明の目的は、耐久性を向上させた防振装置を提供することにある。
【課題を解決するための手段】
【０００６】
本発明に係る防振装置は、振動発生部および振動受部の一方に取り付けられる取付部と、前記振動発生部および前記振動受部の他方に取り付けられるブラケットと、前記取付部と前記ブラケットとを連結する弾性体とを有し、前記弾性体は、前記取付部を保持して鉛直方向の一方に配置される本体部と、前記本体部から鉛直方向の他方に向かって延在する複数の脚部とを有する、防振装置であって、前記脚部は、前記本体部近傍の外側部および内側部の少なくともいずれか一方に、前記脚部の延在方向に沿って前記本体部に向かうに従って反対側の側部に接近して前記内側部および前記外側部の間の幅を狭くする括れ部を有することを特徴とする。
本発明に係る防振装置によれば、弾性体の取付部周りのせん断応力が軽減されることにより、耐久性を向上させることができる。
【０００７】
本発明に係る防振装置では、少なくとも前記脚部の外側部に前記括れ部を有することが好ましい。
この場合、耐久性を効果的に向上させることができる。
【０００８】
本発明に係る防振装置では、前記括れ部は、前記本体部の外側部と前記脚部の外側部とで同一の平面を形成し、当該同一の平面の一部を窪ませてなるものであることが好ましい。
この場合、耐久性を更に向上させることができる。
【０００９】
本発明に係る防振装置では、前記括れ部を、水平方向において、前記取付部の外側部と隣り合う位置に設けることが好ましい。
この場合、耐久性を効果的に向上させることができる。
【００１０】
本発明に係る防振装置において、前記取付部は、前記脚部の相互間の前記本体部に配置される、下方に突出する突出部を有することが好ましい。
この場合、耐久性をより効果的に向上させることができる。
【発明の効果】
【００１１】
本発明によれば、耐久性を向上させた防振装置を提供することができる。
【図面の簡単な説明】
【００１２】
【図１】本発明の第１実施形態に係る防振装置の要部を模式的に示す軸方向正面図である。
【図２】図１の分解斜視図である。
【図３】図１の防振装置の弾性体および取付部を模式的に示す軸方向正面図である。
【図４】図２の組立て状態を示す斜視図である。
【図５】図１の防振装置に係る弾性体の変形状態を一部軸方向断面で模式的に示す斜視図である。
【図６】本発明の第２実施形態に係る防振装置の弾性体および取付部を模式的に示す軸方向正面図である。
【発明を実施するための形態】
【００１３】
以下、図面を参照して、本発明の一実施形態に係る防振装置を説明する。なお、以下の説明において、図１、図３および図６上、上下方向を鉛直方向とし、また、当該鉛直方向に対して直交する方向のうち、図面の左右方向に延在する方向を水平方向として、以下の各実施形態の防振装置は振動発生部および振動受部に取り付けられる。また、図１、図３および図６上、鉛直方向および水平方向と直交して図面の表裏方向に延在する方向を軸方向とし、軸方向に沿って前後方向が規定される。
【００１４】
図１中、符号１は、本発明の第１実施形態に係る防振装置であり、符号１０は取付部である。取付部１０は、振動発生部および振動受部の一方に取り付けられている。本実施形態では、取付部１０には、図２に示すように、軸方向に貫通する開口部Ｒ1が形成されている。開口部Ｒ1には、図２に示すエンジンブラケット５０の先端部５１が嵌合する。
【００１５】
本実施形態では、図３に示すように、取付部１０は、軸方向正面視で、ほぼ矩形の輪郭形状であり、鉛直方向に沿って、下方に突出する突出部１１を有する。突出部１１は、下端部分１１ａと、下端部分１１ａの左右端のそれぞれに繋がる段部分１１ｂとを有する。本実施形態では、突出部１１の下端部分１１ａは、水平方向に延在するとともに軸方向に延在する平板状である。また、本実施形態では、突出部１１の段部分１１ｂは、それぞれ、鉛直方向に延在するとともに軸方向に延在する平板状である。
【００１６】
突出部１１は、２つの保持部１２に繋がる。図１に示すように、保持部１２はそれぞれ、エンジンブラケット５０の先端部５１の下端面を保持する。保持部１２はそれぞれ、水平方向に延在するとともに軸方向に延在する平板状である。本実施形態では、突出部１１の段部分１１ｂが鉛直方向に延在して保持部１２に繋がる。２つの保持部１２は、同一の鉛直方向高さに配置されている。
【００１７】
２つの保持部１２は、それぞれ、側壁部１３に繋がる。側壁部１３はそれぞれ、エンジンブラケット５０の先端部５１の側面を保持する。側壁部１３はそれぞれ、鉛直方向に延在するとともに軸方向に延在する平板状である。本実施形態では、側壁部１３の上端が上端部１４に繋がる。上端部１４は、水平方向に延在するとともに軸方向に延在する平板状である。本実施形態では、２つの上端部１４は、同一の鉛直方向高さに配置されている。これにより、突出部１１の下端部分１１ａ、保持部１２および上端部１４は、それぞれ、互いに異なる鉛直方向高さで水平方向に平行に配置されている。
【００１８】
本実施形態では、取付部１０は、１枚板を用いた曲げ加工により形成されている。ただし、加工方法については、これに限定されるものではない。さらに、取付部１０の形状についても、円筒形とする等、本実施形態の形状に限定されるものではない。
【００１９】
図１、２中、符号２０は、固定ブラケット（ブラケット）である。固定ブラケット２０は、前記振動発生部および前記振動受部の他方に取り付けられる。本実施形態では、固定ブラケット２０は、振動受部の一例としての車体に取り付けられている。すなわち、本実施形態では、振動発生部の一例としてのエンジンに繋がるエンジンブラケット５０が取付部１０に取り付けられ、振動受部の一例としての車体が固定ブラケット２０に取り付けられる。ただし、振動発生部および振動受部の組み合わせは、エンジンおよび車体の組み合わせに限定されるものではない。
【００２０】
本実施形態では、固定ブラケット２０には、図２に示すように、軸方向に貫通する開口部Ｒ2が形成されている。開口部Ｒ2には、後述の弾性体３０が収容される。本実施形態では、固定ブラケット２０は、車体に固定されるベース部２１と、カバー部２２とを有している。カバー部２２は、ベース部２１との間に開口部Ｒ2を形成している。
【００２１】
符号３０は、取付部１０と固定ブラケット２０とを連結する弾性体である。弾性体３０は、ゴムなどの弾性材料で構成されている。弾性体３０は、取付部１０を保持して鉛直方向の一方（上方）に配置される本体部３１と、本体部３１から鉛直方向の他方（下方）に向かって延在する複数の脚部３２とを有する。本実施形態では、２つの脚部３２が、それぞれ、本体部３１から延在している。本実施形態では、脚部３２を構成する側部のうち、２つの脚部３２の互いに向かう側部が、それぞれ、脚部３２の内側部を形成し、互いに向かう当該側部と逆側の側部が、それぞれ、脚部３２の外側部を形成する。また、本実施形態では、脚部３２の前側および後側の側部が、それぞれ、前側部、後側部を形成する。
【００２２】
本実施形態では、弾性体３０は、取付部１０に加硫接着されている。本実施形態では、弾性体３０の本体部３１は、取付部１０を軸周りに取り囲むように形成されている。更に、本体部３１は、上下方向にそれぞれ、ストッパ３１ｂおよびストッパ３１ａを有している。また、本体部３１は、左右方向にそれぞれ、ストッパ３１ｃおよびストッパ３１ｄを有している。更に、本実施形態では、弾性体３０の本体部３１は、延長保持部３３を有する。延長保持部３３は、取付部１０を軸周りに取り囲むとともに、本体部３１から軸方向に突出している。これにより、弾性体３０は、取付部１０に対してより強固に固定されている。
【００２３】
２つの脚部３２は、それぞれ、本体部３１を支持する。本実施形態では、脚部３２は、それぞれ、前後左右の側部が、それぞれ、水平方向および軸方向を含む平面を断面（「水平方向断面」ともいう）として当該断面形状が四角形の角柱状に構成されている。本実施形態では、脚部３２の外側部は、外側面Ｆ1 を含み、脚部３２の内側部は、内側面Ｆ2 を含んでいる。本実施形態では、２つの脚部３２は、それぞれ、延在部分３２ａおよび固定部分３２ｂを有する。図３に示すように、延在部分３２ａは、本体部３１から下方に延在している。固定部分３２ｂは、延在部分３２ａの下端から水平方向外側に延在している。
【００２４】
本実施形態では、２つの脚部３２は、それぞれ、弾性体３０の本体部３１の中心鉛直線に対して線対称に配置されている。更に詳細には、２つの脚部３２は、それぞれ、下方に向かうに従って互いに離間するように傾斜している。本実施形態では、本体部３１の下端は、左右の位置にそれぞれ、ストッパ３１ａを挟み込むように、鉛直線に対して傾斜する傾斜下端３１ｅを有する。本実施形態では、傾斜下端３１ｅは、それぞれ、本体部３１と脚部３２との接続端となる。
【００２５】
また、脚部３２は、本体部３１近傍に、括れ部３４を有している。本実施形態では、括れ部３４は、脚部３２の外側部に形成されており、本体部３１の傾斜下端３１ｅを一部に含んでいる。括れ部３４は、図２に示すように、脚部３２の外側部を軸方向に沿って延在している。また、図３に示すように、本実施形態では、括れ部３４は、軸方向正面視で、脚部３２の延在方向に沿って本体部３１に向かうに従って、脚部３２の延在方向軸線を挟んで反対側の側部、すなわち、脚部３２の内側部に接近して当該脚部３２の内側部（本実施形態では、内側面Ｆ2 ）および外側部（本実施形態では、外側面Ｆ1 ）間の幅を狭くする。更に、本実施形態では、括れ部３４は、脚部３２の内側部および外側部間の幅が狭くなったのち、更に脚部３２の延在方向に沿って本体部３１に向かうに従って脚部３２の内側面Ｆ2 から離間する。本実施形態では、図３に示すように、括れ部３４は、軸方向正面視で、半円弧形の輪郭である。
【００２６】
図１に示すように、弾性体３０は、２つの脚部３２の固定部分３２ｂをそれぞれ、固定ブラケット２０に嵌合させることで、固定ブラケット２０の開口部Ｒ2に収容・固定されている。本実施形態では、弾性体３０のストッパ３１ｂ〜３１ｄは、それぞれ、固定ブラケット２０に固定したとき、固定ブラケット２０のカバー部２２との間に一定の間隔を形成する。これにより、図４に示すように、弾性体３０は、エンジンブラケット５０に固定される取付部１０と、車体に固定される固定ブラケット２０とを連結する。
【００２７】
図１に示すように、本実施形態では、括れ部３４を、水平方向において、取付部１０の外側部と隣り合う位置に設けている。好適には、括れ部３４を、取付部１０の外側部のうち、下側の部分と隣り合う位置に設ける。詳細には、図１に示すように、取付部１０を固定した、静荷重状態の弾性体３０において、括れ部３４を、水平方向において、例えば、水平方向に間隔を置いて、取付部１０の、突出部１１、保持部１２および側壁部１３の下側の部分それぞれと隣り合う位置に設けている。
【００２８】
本実施形態では、エンジンを取付部１０で支持して取付部１０にエンジン荷重が負荷され、又は、更に下方への振動入力が加わったとき、脚部３２は、それぞれ、脚部３２の延在方向に圧縮される。そして、更に大きな下方への振動入力が加わったときは、図５に示すように、括れ部３４が積極的に変形（例えば、座屈）する。これにより、弾性体３０の取付部１０周り（図５に符号Ｆで示す内周面）のせん断応力が低減されるため、耐久性を向上させることができる。
【００２９】
したがって、本実施形態に係る防振装置１によれば、防振装置の耐久性を向上させることができる。
【００３０】
また、括れ部３４は、弾性体３０の外側部および内側部の少なくともいずれか一方に設けることができる。本実施形態に係る防振装置１では、脚部３２の外側部に括れ部３４を有している。この場合、括れ部３４を脚部３２の内側部に設けたときに比べて、括れ部３４を効果的に変形（例えば、座屈）させることができる。このため、本実施形態に係る防振装置１では、防振装置の耐久性を効果的に向上させることができる。
【００３１】
また、図１に示すように、本実施形態に係る防振装置１では、括れ部３４は、弾性体３０の本体部３１の外側部と脚部３２の外側部とで同一の平面を形成し、当該同一の平面の一部を窪ませてなるものである。この場合、耐久性を更に向上させることができる。
【００３２】
また、本実施形態に係る防振装置１では、前述したとおり、括れ部３４を、水平方向において、取付部１０の外側部と隣り合う位置に設けている。このように、取付部１０と括れ部３４とが水平方向において、互いに隣り合っていると、防振性能を得るために必要とされる、弾性体３０の剛性を確保しつつ、括れ部３４の変形（例えば、座屈）が更に容易になることで、弾性体３０の取付部１０周りのせん断応力が効果的に軽減される。このため、本実施形態に係る防振装置１では、防振装置の耐久性を効果的に向上させることができる。
【００３３】
さらに本実施形態に係る防振装置１では、取付部１０は、脚部３２の相互間の本体部３１に配置される、下方に突出する突出部１１を有している。この場合、弾性体３０と取付部１０との接着面積が増えるとともに、括れ部３４がより取付部１０に接近するため、防振装置の耐久性をより効果的に向上させることができる。
【００３４】
ところで、第１実施形態では、図１〜図３に示すように、脚部３２の延在部分３２ａは、脚部３２の外側部（本実施形態では、脚部３２の外側面Ｆ1 ）が本体部３１の外側部（本実施形態では、本体部３１の外側面Ｆ3 ）と同一の平面を形成するように滑らかに繋がり、この本体部３１の外側部と脚部３２の外側部とで同一の平面を形成し、当該同一の平面の一部を窪ませてなる、括れ部３４が設けられている。
【００３５】
これに対し、図６は、本発明の第２実施形態に係る防振装置に採用される弾性体３０´を示す。以下、第１実施形態と実質的に同一の構成の部分は、同一符号をもって、その説明を省略する。
【００３６】
図６に示すように、弾性体３０´は、第１実施形態のように、脚部３２の外側部と本体部３１の外側部とが同一の平面を形成するものではない。すなわち、弾性体３０´では、脚部３２の外側面Ｆ1 は、本体部３１の傾斜下端３１ｅにて、本体部３１の外側面Ｆ3 よりも左右外向きに突出し、当該突出部分に、括れ部３４が設けられている。本実施形態では、括れ部３４は、脚部３２の延在部分３２ａに、本体部３１の傾斜下端３１ｅの外側面Ｆ3 と隣接するように設けられている。本実施形態では、括れ部３４は、本体部３１の外側面Ｆ3 と滑らかに繋がっている。更に詳細には、図６に示すように、括れ部３４は、軸方向正面視で、四分円弧形の輪郭である。
【００３７】
本実施形態でも、エンジンを取付部１０で支持して取付部１０にエンジン荷重が負荷され、又は、更に下方への振動入力が加わったとき、脚部３２は、脚部３２の延在方向に圧縮される。そして、更に大きな下方への振動入力が加わったときは、図５に示すのと同様に、括れ部３４が積極的に変形（例えば、座屈）する。これにより、弾性体３０の取付部１０周りのせん断応力が低減されるため、耐久性を向上させることができる。
【００３８】
したがって、弾性体３０´を用いた第２実施形態に係る防振装置も、第１実施形態と同様、防振装置の耐久性を向上させることができる。
【００３９】
上述したところは、本発明の実施形態の例示であって、特許請求の範囲の記載によれば、種々の変更が可能である。例えば、上述した各実施形態に係る括れ部３４は、軸方向正面視で、円弧形の輪郭を形成していることが好ましいが、本発明に従えば、軸方向正面視で、楔形の輪郭を形成するもの等、括れ部３４の輪郭形状としては様々な形状を選択することができる。また、上述した各実施形態の弾性体３０，３０´の脚部３２は、水平方向断面が四角形の角柱形に構成しているが、脚部３２の断面形状は、断面多角形の角柱形に限定されるものではなく、例えば、外側面Ｆ1 および内側面Ｆ2 の少なくともいずれか一方を曲面とすることで、断面円形や断面楕円形等、様々な断面形状を選択することができる。また、本発明の防振装置は、エンジンマウントに限定されるものではなく、建設機械に搭載される発電機用マウントや、工場等に設置される機械用マウントとして使用することができる。さらに、各実施形態の構成は、それぞれ、互いに適宜、組み合わせて使用することができる。
【産業上の利用可能性】
【００４０】
本発明は、取付部とブラケットとを連結する弾性体とを有し、当該弾性体の本体部から下方に向かって複数の脚部が延在する防振装置であれば、様々なものに適用することができる。
【符号の説明】
【００４１】
１：防振装置，  １０：取付部，  １１：突出部，  ２０：固定ブラケット（ブラケット），  ３０：弾性体，  ３１：本体部，  ３２：脚部，  ３３：延長保持部，  ３４：括れ部，  Ｆ1：脚部の外側面，  Ｆ2：脚部の内側面，  Ｆ3：本体部の外側面
【図１】
2016056857.tif 000003
【図２】
2016056857.tif 000004
【図３】
2016056857.tif 000005
【図４】
2016056857.tif 000006
【図５】
2016056857.tif 000007
【図６】
2016056857.tif 000008